(57)【要約】【課題】組み立てが簡単で、気密性に優れ、比較的高強度であって、建造物に対して容易に吊り下げ支持することができる段ボールダクトを提供する。【解決手段】段ボールダクト１０は、平板状の段ボール材１０ａを四角筒体形状に折り曲げ、対向する辺縁部１０ｂ，１０ｃにそれぞれ連なる平面部１０ｂｐ，１０ｃｐ同士を重ね合わせ、外側に位置する辺縁部１０ｃが四角筒体外周面の角縁部に位置するように平面部１０ｂｐ，１０ｃｐ同士を固定して形成され、平面部１０ｂｐ，１０ｃｐ同士が全面的に重なり合った領域にダクト支持手段である複数の吊り下げ部材１２を固定している。吊り下げ部材１２は、その基板部１２ａを平面部１０ｂｐ，１０ｃｐの間に挟持され、起立部１２ｂがスリット１１を貫通する状態で固定され、起立部１２ｂには係止孔１２ｃが開設されている。【選択図】  図１
2006029682.tif 000002
【特許請求の範囲】
【請求項１】
平板状の段ボール材を多角筒体形状に折り曲げ、対向する辺縁部にそれぞれ連なる平面部同士を互いに全面的に重ね合わせて固定し、前記段ボール材に少なくとも一部が固定されたダクト支持手段を設けたことを特徴とする段ボールダクト。
【請求項２】
前記ダクト支持手段の少なくとも一部が前記平面部同士が重なり合った領域に固定された請求項１記載の段ボールダクト。
【請求項３】
前記ダクト支持手段の少なくとも一部を前記平面部同士の間に挟持した請求項２記載の段ボールダクト。
【請求項４】
前記ダクト支持手段として、前記平面部同士の間に挟持された固定部と、前記固定部に連設され、外側に位置する前記平面部より突出した係止部とを有するダクト支持具を設けた請求項３記載の段ボールダクト。
【請求項５】
前記ダクト支持手段として、前記段ボール材に差し込まれた状態で保持された固定部と、前記固定部に連設された係止部とを有するダクト支持具を設けた請求項１または２記載の段ボールダクト。
【発明の詳細な説明】
【技術分野】
【０００１】
本発明は、空調設備機器の配管部分に使用される段ボールダクトに関する。
【背景技術】
【０００２】
空調設備機器の配管部分に使用されるダクトに関しては、低コスト、短工期、省力化を図ることのできるダクト素材および工法の研究、開発が行われ、従来、グラスウールダクトなどが採用されてきたが、これらのダクトよりも低コスト、短工期を実現できるものとして段ボールダクトが開発されている（例えば、特許文献１〜３参照。）。
【０００３】
一方、ダクトを建造物に支持するために使用されるダクト支持用型材として、板材をＬ字状の横断面形状に形成したものがある（例えば、特許文献４参照。）。このダクト支持用型材は、Ｌ字状を形成する一辺側をダクト側面に固定し、他辺側を、建造物から垂下された固定部材に取り付けることによってダクトを支持するものである。
【０００４】
【特許文献１】実公昭４８−９６９４号公報
【特許文献２】特開２００２−２６７２４５号公報
【特許文献３】特開昭４８−９３１４５号公報
【特許文献４】実開平７−３２４４３号公報
【発明の開示】
【発明が解決しようとする課題】
【０００５】
特許文献１に記載された空調用段ボールダクトにおいては、そのダクト内部に補強体が配置されているため、ダクト内を流通する空気流に対して抵抗となり、空調効率を悪化させる要因となる。また、特許文献１にはダクト支持手段が示されていないので、実際に施工する場合、建造物に支持することが困難である。
【０００６】
特許文献２に記載されたダクトは多層段ボール材で形成されているため、強度は優れているが、組み立てが面倒であり、重量も大である。また、建造物に吊り下げる場合、受板とロッドとからなる吊り金具を使用しなければならないので、施工に手間がかかる。
【０００７】
特許文献３に記載されたダンボール積層板製ダクトの場合、角部の接続構造が複雑であるため段ボール素材の加工に手間がかかり、組み立ても面倒である。また、接続具の山形刃を角部の段ボール材に突き刺す構造であるため、施工の際には若干の熟練と押圧力とを必要とし、押圧力によってダクトが変形したり、損傷したりすることがある。
【０００８】
特許文献４に記載されたダクト支持用型材は、リベットやネジなどを用いてダクト側面に取り付けるものであるため、金属製ダクトには好適である。しかしながら、段ボール材に対してリベットを打設したり、ネジを螺着したりするのは困難であるため、このダクト支持用型材は段ボールダクトには不向きである。
【０００９】
本発明が解決しようとする課題は、組み立てが簡単で、気密性に優れ、比較的高強度であって、建造物に対して容易に吊り下げ支持することができる段ボールダクトを提供することにある。
【課題を解決するための手段】
【００１０】
本発明の段ボールダクトは、平板状の段ボール材を多角筒体形状に折り曲げ、対向する辺縁部にそれぞれ連なる平面部同士を互いに全面的に重ね合わせて固定し、前記段ボール材に少なくとも一部が固定されたダクト支持手段を設けたことを特徴とする。
【００１１】
このような構成とすれば、平板状の段ボール材を多角筒体形状に折り曲げ、対向する平面部同士を重ね合わせて固定するだけで、段ボールダクトを形成することができるため、組み立てが簡単である。また、当該ダクトを構成する段ボール材に予め固定されたダクト支持手段を有しているため、建造物に対して容易に吊り下げ支持することができる。さらに、平板状の段ボール材を多角筒体形状に折り曲げて形成され、継ぎ目となる部分は段ボール材同士が重なり合った構造となっているため、気密性に優れ、高強度を発揮する。
【００１２】
ここで、前記ダクト支持手段の少なくとも一部が前記平面部同士が重なり合った領域に固定されたものとすることが望ましい。このような構成とすれば、ダクト支持手段は、平面部同士が重なり合った、他の部分より高強度の領域に固定されるため、支持状態で段ボールダクトに加わる力で、段ボールダクトが変形することのない強度を備えている。
【００１３】
この場合、前記ダクト支持手段の少なくとも一部を前記平面部同士の間に挟持した構造とすることができる。このような構成とすれば、平面部同士の固定とともにダクト支持手段を固定することが可能となるため、構造の簡素化を図ることができ、組み立て工程を効率化することができる。
【００１４】
また、前記ダクト支持手段として、前記平面部同士の間に挟持された固定部と、前記固定部に連設され、外側に位置する前記平面部より突出した係止部とを有するダクト支持具を設けることができる。このようなダクト支持具を設ければ、施工現場における吊り下げ作業を大幅に簡易化することができるので、施工性の向上、工期の短縮化を図ることができる。
【００１５】
一方、前記ダクト支持手段として、前記段ボール材に差し込まれた状態で保持された固定部と、前記固定部に連設された係止部とを有するダクト支持具を設けることもできる。このようなダクト支持具を設ければ、施工現場において、段ボール材の任意の位置にダクト支持具を取り付けることも可能となるため、施工現場に対応した施工を行うことができ、汎用性が向上する。
【発明の効果】
【００１６】
本発明により、以下の効果を奏する。
【００１７】
（１）平板状の段ボール材を多角筒体形状に折り曲げ、対向する辺縁部にそれぞれ連なる平面部同士を互いに全面的に重ね合わせて固定し、前記段ボール材に少なくとも一部が固定されたダクト支持手段を設けたことにより、組み立ては簡単で、気密性に優れ、比較的高強度であって、建造物に対する吊り下げ支持も容易となる。
【００１８】
（２）前記平面部同士が重なり合った領域に少なくとも一部が固定されたダクト支持手段を設けることにより、建造物に支持したときに加わる力で変形することのない強度を発揮する。
【００１９】
（３）前記ダクト支持手段の少なくとも一部を前記平面部同士の間に挟持した構造とすれば、構造の簡素化を図ることができ、組み立て工程を効率化することができる。
【００２０】
（４）前記ダクト支持手段として、前記平面部同士の間に挟持された固定部と、前記固定部に連設され、外側に位置する前記平面部より突出した係止部とを有するダクト支持具を設けることにより、施工現場における吊り下げ作業が大幅に簡易化されるため、施工性の向上、工期の短縮化を図ることができる。
【００２１】
（５）前記ダクト支持手段として、前記段ボール材に差し込まれた状態で保持された固定部と、前記固定部に連設された係止部とを有するダクト支持具を設ければ、施工現場において、段ボール材の任意の位置にダクト支持具を取り付けることも可能となるため、施工現場に対応した施工を行うことができ、汎用性が向上する。
【発明を実施するための最良の形態】
【００２２】
以下、本発明の実施の形態を図面に基づいて説明する。図１は本発明の第１実施形態である段ボールダクトの組み立て状態を示す斜視図、図２は図１に示す段ボールダクトの組み立て状態を示す斜視図、図３は図１に示す段ボールダクトの組み立て工程を示す断面図である。
【００２３】
図１，図２に示すように、本実施形態の段ボールダクト１０は、平板状の段ボール材１０ａを四角筒体形状に折り曲げ、対向する辺縁部１０ｂ，１０ｃにそれぞれ連なる平面部１０ｂｐ，１０ｃｐ同士を重ね合わせ、外側に位置する辺縁部１０ｃが四角筒体外周面の角縁部１０ｖに位置するように平面部１０ｂｐ，１０ｃｐ同士を固定し、平面部１０ｂｐ，１０ｃｐ同士が重なり合った領域にダクト支持手段である複数の吊り下げ部材１２を固定している。
【００２４】
この場合、段ボールダクト１０を構成する辺縁部１０ｃに連なる平面部１０ｃｐを構成する段ボール材１０ａに複数のスリット１１を設け、これらのスリット１１に倒立Ｔ字形状をした吊り下げ部材１２を取り付けている。吊り下げ部材１２は、その基板部１２ａを平面部１０ｂｐ，１０ｃｐの間に挟持し、起立部１２ｂがスリット１１を貫通する状態で固定され、起立部１２ｂには係止孔１２ｃが開設されている。
【００２５】
ここで、段ボールダクト１０の組み立て手順について説明する。図１，図２および図３（ａ）に示すように、平板状の段ボール材１０ａを四角筒体形状に折り曲げ、対向する辺縁部１０ｂ，１０ｃにそれぞれ連なる平面部１０ｂｐ，１０ｃｐ同士を重ね合わせ、外側に位置する辺縁部１０ｃが四角筒体外周面の４つの角縁部１０ｖ，１０ｗ，１０ｘ，１０ｙのうちの最も近くにある角縁部１０ｖに位置させ、平面部１０ｂｐ，１０ｃｐ同士を固定することによって段ボールダクト１０を形成している。そして、段ボールダクト１０の外周の複数箇所に粘着テープ４を巻き付けている。
【００２６】
一方、図３（ｂ）に示すように、角縁部１０ｙの内側と辺縁部１０ｂとが向かい合う部分にはパッキン５を挟持し、平面部１０ｂｐ，１０ｃｐ同士が重なり合う部分には両面粘着テープ２０を挟持することによって平面部１０ｂｐ，１０ｃｐ同士を固定している。従って、吊り下げ部材１２が配置されている領域には、全面的に段ボール材１０ａの２層構造が形成されているため、剛性が高く、優れた強度を発揮する。なお、平面部１０ｂｐ，１０ｃｐ同士の固定手段としては、接着剤やステープラを用いることもできる。
【００２７】
さらに、平面部１０ｂｐ，１０ｃｐの間に両面粘着テープ２０を挟持することによって両者は全面的に隙間なく密着するため、気密性が高く、平面部１０ｂｐ，１０ｃｐの隙間から空気の漏洩が発生せず、優れた気密性を発揮する。また、平板状の段ボール材１０ａを四角筒体形状に折り曲げて形成され、継ぎ目となる部分は段ボール材１０ａ同士が全面的に重なり合った構造となっているため、このことによっても優れた気密性および高強度が得られる。
【００２８】
このように、平板状の段ボール材１０ａを四角筒体形状に折り曲げ、対向する平面部１０ｂｐ，１０ｃｐ同士を重ね合わせて固定するだけで、段ボールダクト１０を形成することができるため、組み立ては極めて簡単である。また、平面部１０ｂｐ，１０ｃｐ同士が重なり合った領域に吊り下げ部材１２を設けているため、後述するように、建造物に対する吊り下げも容易である。
【００２９】
前述したように、外側に位置する平面部１０ｃｐが、内側に位置する平面部１０ｂｐに全面的に重なり合った構造となっているため、特に、吊り下げ部材１２がある領域の強度に優れており、施工後の経時変化によって、変形したり、損傷したりすることがない。
【００３０】
段ボールダクト１０においては、ダクト支持手段として、外側に位置する平面部１０ｃｐと下側に位置する平面部１０ｂｐとの間に挟持された基板部１２ａ（固定部）と、上側に位置する平面部１０ｃｐより外側に突出した起立部１２ｂ（係止部）とを有する吊り下げ部材１２を配置している。
【００３１】
したがって、図４，図５に示すように、段ボールダクト１０の上面から突出する吊り下げ部材１２の起立部１２ｂの係止孔１２ｃに、建造物（図示せず）から垂下されたワイヤ１４などの吊り下げ材を係止することによって段ボールダクト１０を建造物（図示せず）に安定的に吊り下げ保持することができる。このような吊り下げ部材１２を設けることにより、施工現場での吊り下げ作業を大幅に簡易化することができるので、施工性の向上、工期の短縮化を図ることができる。
【００３２】
図４，図５で示したように段ボールダクト１０を吊り下げ保持した場合、その上面部分にはダクト軸心方向の圧縮力が作用し、下面部分にはダクト軸心方向引張力が作用するが、段ボールダクト１０の上面部分は、２つの平面部１０ｂｐ，１０ｃｐが重なり合って段ボール材１０ａの２層構造となっているため、他の部分よりも剛性が高く、前記圧縮力によって座屈することがない。一方、下面部分は１枚の段ボール材１０ａのみの単層構造であるが、前記引張力に対しては充分な強度を発揮する。このため、施工後、吊り下げ支持状態で加わる力によって段ボールダクト１０が変形したり、損傷したりすることがなく、耐久性も良好である。
【００３３】
次に、図６，図７を参照して、本発明の第２実施形態である段ボールダクト３０について説明する。図６，図７は段ボールダクト３０を示す一部切欠斜視図である。
【００３４】
図６に示すように、段ボールダクト３０は、平板状の段ボール材３０ａを四角筒体形状に折り曲げ、対向する辺縁部３０ｂ，３０ｃにそれぞれ連なる平面部３０ｂｐ，３０ｃｐ同士を重ね合わせ、外側に位置する辺縁部３０ｃが四角筒体外周面の角縁部３０ｖに位置するように平面部３０ｂｐ，３０ｃｐ同士を固定し、平面部３０ｂｐ，３０ｃｐ同士が全面的に重なり合った領域に、ダクト支持手段である複数の吊り下げ部材３２を固定している。本実施形態では、平面部３０ｂｐ，３０ｃｐ同士の固定および吊り下げ部材３２の固定には両面粘着テープを使用しているが、接着剤などを使用することもできる。
【００３５】
この場合、吊り下げ部材３２は段ボールダクト１０を横断する方向に配置され、その両端部３２ａ，３２ｂを除く部分が、２つの平面部３０ｂｐ，３０ｃｐ同士の間に挟持された状態で固定されている。吊り下げ部材３２一方の端部３２ａは辺縁部３０ｃと角縁部３０ｖとの間から外側へ突出し、他方の端部３２ｂは、辺縁部１０ｂに対向する段ボール材１０ａに開設されたスリット３１から外側へ突出している。それぞれの端部３２ａ，３２ｂには、係止孔３２ｃが開設されている。
【００３６】
段ボールダクト３０を建造物（図示せず）に吊り下げ保持する場合、建造物から垂下されたワイヤ１４などを、段ボールダクト３０の両側面から突出した複数の吊り下げ部材３２の端部３２ａ，３２ｂの係止孔３２ｃに係止することによって、段ボールダクト１０を安定的に吊り下げ保持することができる。また、図６に示すような状態に吊り下げ保持した場合、段ボールダクト１０の上面は二重構造であるため圧縮力による変形が生じることがなく、吊り下げ部材３２が補強機能も発揮する。さらに、吊り下げ部材１２を使用する場合よりも段ボール材３０ａに加わる面圧が小さくなるので、段ボール材３０ａの負担が軽減され、耐久性が向上する。
【００３７】
一方、図７に示すように、段ボールダクト３０は、図６に示した姿勢と天地を逆にして、即ち、２つの平面部３０ｂｐ，３０ｃｐ同士が重なり合った領域を下にした姿勢で建造物に吊り下げ保持することもできる。図７に示すような状態に吊り下げ保持した場合、段ボールダクト３０の上面に圧縮力が加わらないので変形が発生せず、吊り下げ部材３２が補強機能も発揮する。また、図６に示す場合よりも低い位置で吊り下げ作業ができるため、作業性も良好である。
【００３８】
なお、図６，図７に示す段ボールダクト３０はそれぞれ構造が同じで、互いに天地を逆にして吊り下げているだけなので、作り分けをする必要がなく、施工条件に適した吊り下げ状態に設定することができる。
【００３９】
次に、図８〜図１２を参照して、本発明の第３〜７実施形態である段ボールダクト４０，５０，６０，７０，８０について説明する。図８〜図１１はそれぞれ段ボールダクト４０，５０，６０，７０を示す断面図であり、図１２は段ボールダクト８０を示す一部切欠斜視図である。なお、図８〜図１２において、図１〜図５に記載した符号と同じ符号を付している部分は、第１実施形態の段ボールダクト１０の構成部分と同じ機能、効果を発揮する部分であるため、説明を省略する。
【００４０】
図８に示す段ボールダクト４０においては、ダクト支持手段として、薄板材を階段状に折曲した形状のダクト支持具４２が、段ボールダクト４０の側面に位置する段ボール材１０ａに固定されている。ダクト支持具４２は、三角形状に尖った挿入部４２ａと、挿入部４２ａに連設され、段ボール材１０ａに差し込まれた状態で保持される固定部４２ｂと、固定部４２ｂから直角方向に連設され、段ボールダクト４０の側面に密着する当接部４２ｃと、当接部４２ｃから直角方向に連設され、係止孔４２ｄを有する係止部４２ｅとで形成されている。
【００４１】
ダクト支持具４２は、その挿入部４２ａを、段ボールダクト４０の側面に位置する段ボール材１０ａに差し込み、当接部４２ｃを段ボールダクト４０の側面に密着させた状態にして粘着テープあるいは接着剤で固定することによって取り付けることができる。
【００４２】
次に、図９に示す段ボールダクト５０においては、ダクト支持手段として、薄板材をＬ字状に折曲し、その先端に鋸刃状の挿入部５２ａを設けた形状のダクト支持具５２が、段ボールダクト５０の側面に位置する段ボール材１０ａに固定されている。ダクト支持具５２は、鋸刃状に尖った挿入部５２ａと、挿入部５２ａに連設され、段ボールダクト５０の側面に位置する段ボール材１０ａに密着する当接部５２ｂと、当接部５２ｂから直角方向に連設され、係止孔５２ｃを有する係止部５２ｄとで形成されている。
【００４３】
ダクト支持具５２は、その挿入部５２ａを、段ボールダクト５０の側面に位置する段ボール材１０ａに差し込み、当接部５２ｂを段ボールダクト５０の側面に密着させた状態にして粘着テープあるいは接着剤で固定することによって取り付けることができる。ダクト支持具５２の挿入部５２ａは段ボール材１０ａを貫通していないので、段ボールダクト５０の気密性が阻害されることがない。
【００４４】
次に、図１０に示す段ボールダクト６０においては、ダクト支持手段として、薄板材をクランク状に折曲し、その先端に鋸刃状の挿入部６２ａを設けた形状のダクト支持具６２が、段ボールダクト６０の底面から側面にかかる角縁部１０ｗ（１０ｘ）に位置する段ボール材１０ａに固定されている。ダクト支持具５２は、鋸刃状に尖った挿入部６２ａと、挿入部６２ａに連設され、段ボールダクト６０の角縁部１０ｗ（１０ｘ）を覆うように配置された当接部６２ｂおよび起立部６２ｃと、係止孔６２ｄを有する係止部６２ｅとで形成されている。
【００４５】
ダクト支持具６２は、その挿入部６２ａを、段ボールダクト６０の底面の角縁部１０ｗ（１０ｘ）付近に位置する段ボール材１０ａに差し込み、当接部６２ｂおよび起立部６２ｃを角縁部１０ｗ（１０ｘ）付近の段ボール材１０の外面に密着させた状態にして粘着テープあるいは接着剤で固定することによって取り付けることができる。ダクト支持具６２の挿入部６２ａは段ボール材１０ａを貫通していないので、段ボールダクト６０の気密性が阻害されることがない。
【００４６】
また、ダクト支持具６２は、段ボールダクト６０の角縁部１０ｗ（１０ｘ）付近を下側から支持しているため、安定した保持状態を得ることができる。また、段ボール材１０ａに対する負荷が少ないので、耐久性も良好である。
【００４７】
次に、図１１に示す段ボールダクト７０においては、平面部１０ｂｐ，１０ｃｐ同士が重なり合った部分がダクト底面をなすように配置され、ダクト支持手段として、前述したダクト支持具６２を用いるとともに、ダクト支持具６２の一部である挿入部６２ａを平面部１０ｂｐ，１０ｃｐ同士が重なり合った領域に差し込んで固定している。これにより、ダクト支持具６２は、平面部１０ｂｐ，１０ｃｐ同士が重なり合った、他の部分より高強度の領域に固定されるため、支持状態で段ボールダクト７０に加わる力で、段ボールダクト７０が変形することがない。
【００４８】
また、ダクト支持具６２の挿入部６２ａは平面部１０ｂｐ，１０ｃｐ同士が重なり合った二重構造の領域に差し込まれているため、挿入部６２ａの先端がダクト内部まで貫通する可能性が低く、ダクト支持具６２の取り付け部分からの空気の漏洩が発生しない。また、ダクト支持具６２の取り付け部分における段ボール材１０ａの強度低下を回避することができる。
【００４９】
また、ダクト支持具６２は、段ボールダクト７０の底面に位置する平面部１０ｂｐ，１０ｃｐ同士が重なり合った剛性の高い二重構造の領域を下側から支持しているため、安定した保持状態を得ることができる。また、段ボール材１０ａに対する負荷が少ないので、耐久性も良好である。
【００５０】
前述したダクト支持具４２，５２，６２はいずれも、施工現場において、ダクトを形成する段ボール材１０ａの所定の位置に取り付け可能であり、取り付け位置も変更可能であるため、施工現場に対応した施工を行うことができ、汎用性に優れている。
【００５１】
次に、図１２に示す段ボールダクト８０は、平板状の段ボール材８０ａを三角筒体形状に折り曲げ、対向する辺縁部８０ｂ，８０ｃにそれぞれ連なる平面部８０ｂｐ，８０ｃｐ同士を重ね合わせ、外側に位置する辺縁部８０ｃが四角筒体外周面の角縁部８０ｖに位置するように平面部８０ｂｐ，８０ｃｐ同士を固定している。そして、平面部８０ｂｐ，８０ｃｐ同士が全面的に重なり合った領域に、ダクト支持手段である複数の吊り下げ部材３２を固定している。本実施形態では、平面部８０ｂｐ，８０ｃｐ同士の固定および吊り下げ部材３２の固定には両面粘着テープを使用しているが、接着剤などを使用することもできる。
【００５２】
この場合、吊り下げ部材３２は段ボールダクト８０を横断する方向に配置され、その両端部３２ａ，３２ｂを除く部分が、２つの平面部８０ｂｐ，８０ｃｐ同士の間に挟持された状態で固定されている。また、吊り下げ部材３２一方の端部３２ａは辺縁部８０ｃと角縁部８０ｖとの間から外側へ突出し、他方の端部３２ｂは、辺縁部８０ｂに対向する段ボール材１０ａに開設されたスリット３１から外側へ突出している。したがって、それぞれの端部３２ａ，３２ｂに開設された係止孔３２ｃにワイヤ１４などを係止することによって吊り下げ保持することができる。
【００５３】
本実施形態の段ボールダクト８０は三角筒体形状であるため、外力を受けたときに変形しにくく、高強度である。また、図１２に示すように、ダクト設置場所付近に障害物８２があってもそれを避けて設置することができるため、施工性に優れている。その他の機能、効果については、図６に示す段ボールダクト３０と同様である。
【００５４】
以上の実施形態においては、四角筒体形状および三角筒体形状の段ボールダクトについて説明しているが、本発明の段ボールダクトはこれらに限定するものではないので、六角筒体形状あるいは八角筒体形状など、その他の多角筒体形状の段ボールダクトとすることができる。
【００５５】
例えば、同じ面積の平板状の段ボール材を用いて段ボールダクトを形成した場合、三角筒体形状や四角筒体形状の段ボールダクトに比べ、六角筒体形状あるいは八角筒体形状の段ボールダクトの方がダクト断面積を広くすることができる。このため、同じダクト断面積を確保しようとすれば、三角筒体形状や四角筒体形状より、六角筒体形状あるいは八角筒体形状の段ボールダクトの方が使用する段ボール材の量を削減することができる。
【産業上の利用可能性】
【００５６】
本発明に係る段ボールは、空調設備機器の配管部分に使用されるダクトとして広く使用することができる。
【図面の簡単な説明】
【００５７】
【図１】本発明の第１実施形態である段ボールダクトの組み立て状態を示す斜視図である。
【図２】図１に示す段ボールダクトの組み立て状態を示す斜視図である。
【図３】図１に示す段ボールダクトの組み立て工程を示す断面図である。
【図４】図１に示す段ボールダクトの吊り下げ状態を示す断面図である
【図５】図１に示す段ボールダクトの吊り下げ状態を示す断面図である。
【図６】本発明の第２実施形態である段ボールダクトを示す一部切欠斜視図である。
【図７】本発明の第２実施形態である段ボールダクトを示す一部切欠斜視図である。
【図８】本発明の第３実施形態である段ボールダクトを示す断面図である。
【図９】本発明の第４実施形態である段ボールダクトを示す断面図である。
【図１０】本発明の第５実施形態である段ボールダクトを示す断面図である。
【図１１】本発明の第６実施形態である段ボールダクトを示す断面図である。
【図１２】本発明の第７実施形態である段ボールダクトを示す一部切欠斜視図である。
【符号の説明】
【００５８】
４  粘着テープ
５  パッキン
１０，３０，４０，５０，６０，７０，８０  段ボールダクト
１０ａ，３０ａ，８０ａ  段ボール材
１０ｂ，１０ｃ，３０ｂ，３０ｃ，８０ｃ，８０ｂ  辺縁部
１０ｖ，１０ｗ，１０ｘ，１０ｙ，３０ｖ，８０ｖ  角縁部
１０ｂｐ，１０ｃｐ，３０ｂｐ，３０ｃｐ，８０ｂｐ，８０ｃｐ  平面部
１１，３１  スリット
１２，３２  吊り下げ部材
１２ａ  基板部
１２ｂ，６２ｃ  起立部
１２ｃ，３２ｃ，４２ｄ，５２ｃ，６２ｄ  係止孔
１４  ワイヤ
２０  両面粘着テープ
３２ａ，３２ｂ  端部
４２，５２，６２  ダクト支持具
４２ａ，５２ａ，６２ａ  挿入部
４２ｂ  固定部
４２ｃ，５２ｂ，６２ｂ  当接部
４２ｅ，５２ｄ，６２ｅ  係止部
８２  障害物
【図１】
2006029682.tif 000003
【図２】
2006029682.tif 000004
【図３】
2006029682.tif 000005
【図４】
2006029682.tif 000006
【図５】
2006029682.tif 000007
【図６】
2006029682.tif 000008
【図７】
2006029682.tif 000009
【図８】
2006029682.tif 000010
【図９】
2006029682.tif 000011
【図１０】
2006029682.tif 000012
【図１１】
2006029682.tif 000013
【図１２】
2006029682.tif 000014